(57)【特許請求の範囲】
【請求項１】
回転軸（Ａ）と、第１の質量を有するＩＤチップを受け取るのに適した第１の形状を有する第１の凹部（２７）とを有する工具（２１）本体を備える、回転可能な工具（２１）であって、
前記工具（２１）が、前記第１の凹部（２７）に設置されたダミーチップ（３１、３１ａ、３１ｂ、３１ｃ、３１ｄ、３１ｅ、３１ｆ）を備え、前記工具（２１）が、前記第１の凹部（２７）内の前記ダミーチップ（３１、３１ａ、３１ｂ、３１ｃ、３１ｄ、３１ｅ、３１ｆ）により回転バランスがとられており、
前記ダミーチップ（３１ｄ）が、止まり穴の形式の凹部（３５）を備え、該凹部（３５）にカウンターウエイト部材（３７）が設置されていることを特徴とする、工具（２１）。
【請求項２】
前記工具（２１）が、前記ダミーチップ（３１、３１ａ、３１ｂ、３１ｃ、３１ｄ、３１ｅ、３１ｆ）が前記第１の凹部（２７）にあるときに前記工具（２１）の回転バランスをとるための第２の凹部（３３）を含む、請求項１に記載の工具（２１）。
【請求項３】
前記第２の凹部（３３）が、前記工具（２１）の前記第１の凹部（２７）と形状的に反対の側に設けられている、請求項２に記載の工具（２１）。
【請求項４】
前記第２の凹部（３３）が、前記第１の凹部（２７）と異なる形状を有する、請求項２または３に記載の工具（２１）。
【請求項５】
前記ダミーチップ（３１、３１ａ、３１ｂ、３１ｃ、３１ｄ、３１ｅ、３１ｆ）が、前記第１の質量と同じ質量を有する、請求項１から４のいずれか一項に記載の工具（２１）。
【請求項６】
前記ダミーチップ（３１、３１ａ、３１ｂ、３１ｃ、３１ｄ、３１ｅ、３１ｆ）が、前記第１の形状と実質的に同じ形状である、請求項１から５のいずれか一項に記載の工具（２１）。
【請求項７】
前記ダミーチップ（３１、３１ａ、３１ｂ、３１ｃ、３１ｄ、３１ｅ、３１ｆ）が、少なくとも１２００Ｎの遠心力に耐えるための手段により前記第１の凹部（２７）に固定される、請求項１から６のいずれか一項に記載の工具（２１）。
【請求項８】
前記ダミーチップ（３１ａ）が、前記工具（２１）本体に設けられた雌ファスナと結合する雄ファスナにより前記第１の凹部（２７）に固定され、前記ダミーチップ（３１ｂ、３１ｃ）が、雌ねじ部と、該雌ねじ部と結合し前記ダミーチップ（３１、３１ａ、３１ｂ、３１ｃ、３１ｄ、３１ｅ、３１ｆ）の一部を径方向外側に拡張させる雄ねじ部とを含み、前記ダミーチップ（３１ｂ、３１ｃ）の径方向に拡張可能な部分が弾性を有する、請求項１から７のいずれか一項に記載の工具（２１）。
【請求項９】
前記ダミーチップ（３１ｄ）が、該ダミーチップ（３１ｄ）の一部分の周囲に外部リングを備え、前記一部分が、前記外部リングをスナップばめにより前記第１の凹部（２７）の内部溝で受け取ることを可能にするだけ十分に圧縮可能である、請求項１から７のいずれか一項に記載の工具（２１）。
【請求項１０】
前記ダミーチップ（３１）が、締まりばめにより前記第１の凹部（２７）で受け取られる、請求項１から７のいずれか一項に記載の工具（２１）。
【請求項１１】
前記ダミーチップ（３１ｄ）が、前記凹部（３５）を備えるプラスチップ製またはゴム製の本体と、金属製のカウンターウエイト部材（３７）とからなる、請求項１から１０のいずれか一項に記載の工具（２１）。
【請求項１２】
前記工具（２１）が、外部テーパ面と、切削インサート用のシートと、外部フランジとを備え、前記フランジが、軸方向で前記テーパ面と前記インサート用のシートとの間に設置され、前記第１の凹部（２７）が前記フランジに設置されている、請求項１から１１のいずれか一項に記載の工具（２１）。
【請求項１３】
請求項１から１２のいずれか一項に記載の工具（２１）と、ＩＤチップ（２９）とを備える工具キットであって、前記ＩＤチップ（２９）と前記ダミーチップ（３１、３１ａ、３１ｂ、３１ｃ、３１ｄ、３１ｅ、３１ｆ）が同じ質量を有する、工具キット。
【請求項１４】
請求項１から１２のいずれか一項に記載の回転可能な工具（２１）と、第１の質量を有するＩＤチップ（２９）とを提供するステップと、前記ダミーチップ（３１）を前記第１の凹部（２７）から取り外すステップと、前記ＩＤチップ（２９）を前記第１の凹部に固定するステップとを含む、回転可能な工具を調整する方法。
【発明の詳細な説明】
【技術分野】
【０００１】
本発明は、ＩＤチップを含むタイプの工具に関する。詳細には、この発明は、金属切削作業においてＣＮＣ機で使用する穴あけ工具、フライス工具、穴加工工具等の回転工具、またはそのような工具を保持するようになされた延長工具に関する。
【背景技術】
【０００２】
米国特許出願公開第２００６／０１２７１９７号では、ＩＤ（識別）チップが搭載されたタイプの工具について説明している。そのようなＩＤチップは、工具の在庫管理、保守等のさまざまな目的で有用であり、識別手段により視覚的または物理的に接触することなく工具を識別することを可能にする。ＩＤチップは、ＩＤタグとも呼ばれ、データキャリアまたは情報キャリアと、ワイヤレス送信手段とを含む。より詳細には、ＩＤチップは、データを電子的に記憶するために配置され、このデータは、外部ユニットでワイヤレスに読み取ることが可能である。ＩＤチップの一般的な形式はＲＦＩＤチップであり、ＲＦＩＤは、無線周波数識別の略である。
【０００３】
そのようなフライス工具、穴あけ工具、穴加工工具等の回転工具を金属切削作業で使用するとき、工具は、工具の重心軸である回転軸を中心にして回転する。振動力を回避するため、工具の回転バランスが適切にとられていることが重要である。そのような振動力は、バイブレーションや加工面の粗悪な表面仕上げ、騒音、工具の寿命低下につながる可能性がある。工具の回転バランスをとる手法は、本発明が属する技術分野の当業者に公知である。そのような手法は、工具の質量分布を考慮することを含む。たとえば、アンバランスを相殺するために、穴や切り欠きを工具に加えて、工具の重心が回転軸のできるだけ近くに設置されるように工具を設計する。そのような手法は、「設計によるバランス」、「プレバランシング」、または「カウンターバランシング」として一般に知られている。
【０００４】
典型的には、ＩＤチップは、エンドユーザによって、回転軸から離れて設置された窪みにＩＤチップを置くことにより、回転バランスがとられた工具に設けられる。ＩＤチップの質量は小さいが、発明者は、ＩＤチップが窪みにない状態で回転バランスがとられた工具にＩＤチップが置かれた場合、その質量によって工具の回転バランスが崩れる可能性があることを把握した。よって、ＩＤチップが据え付けられるときに、そのＩＤチップを含む工具の回転バランスを確実にとる手段を提供することが望まれる。
【０００５】
さらに、ＩＤチップは、一般的には集積回路またはマイクロチップの形式をしたデータキャリアまたは情報キャリアと、アンテナ等のワイヤレス送信手段とを含むため、高価である。工具のすべてのユーザがＩＤチップにより実現される識別オプションを使用するわけではないため、すべての工具にＩＤチップを搭載することは望ましくない。
【発明の概要】
【０００６】
米国特許出願公開第２００６／０１２７１９７号の回転可能な工具は、ＩＤチップがいずれのボアにも搭載されていないときに回転バランスがとられている。しかし、ＩＤチップがいずれかのボア穴に搭載されているときは回転バランスがとられていないという欠点がある。この欠点は、請求項１の回転可能な工具により、すなわち、回転軸（Ａ）と、第１の質量を有するＩＤチップを受け取るのに適した第１の形状を有する第１の凹部とを有する工具本体を備える回転可能な工具であって、第１の凹部に配置されたダミーチップを備え、第１の凹部内のダミーチップにより、回転バランスがとられている工具により、解決されるか、または少なくとも軽減される。
【０００７】
工具は、第１の凹部内のダミーチップにより、回転バランスがとられている。言い換えると、工具の重心または質量中心は、第１の凹部内のダミーチップにより、工具本体の回転軸に揃っているか、または当該回転軸上にある。工具本体の慣性質量軸は、工具本体の回転軸に一致していることが好ましい。
【０００８】
工具は、ダミーチップが第１の凹部にあるときに回転バランスがとられるようにするために、工具本体の外面に１つまたは複数の窪みを設けるなどして、さまざまな方法で構成することができる。
【０００９】
ダミーチップが第１の凹部にある状態で、ダミーチップは、工具本体の回転軸から一定または不変の距離を置いて配置される。そうすることで、第１の凹部内のダミーチップにより、工具の回転バランスをとることができる。
【００１０】
ダミーチップは、固体金属体、固体プラスチック体、またはそれらの組み合わせであることが好ましい。
【００１１】
ダミーチップは、第１の凹部から、非破壊的な態様で取り外すことができる。
【００１２】
本発明のこの側面に係る工具は、後続の段階で、またはエンドユーザにより、ＩＤチップを据え付ける前に、ＩＤチップが据え付けられた後で工具のバランスがとられる態様で工具のバランスを容易にとることを可能にする。そのような工具により、工具の製造業者またはユーザは、バランス特性で妥協することなく、コスト効果に優れた単一の工具本体一式を持つことができる。ダミーチップは、第１の凹部に取り付けることができ、また第１の凹部から取り外すことができる。そのような回転可能な工具は、ＩＤチップを備えていないため、比較的安価に製造することができる。そのような回転可能な工具は、ＩＤチップが回転可能な工具の第１の凹部に搭載されたときと、ダミーチップが第１の凹部に搭載されたときとの両方で、回転バランスがとられているか、または少なくとも向上したバランス特性を有する。第１の凹部は、止まり穴の形式であることが好ましい。第１の凹部は、回転軸から離れて設置されていることが好ましい。ダミーチップは、いかなる電子情報記憶媒体も備えず、いかなるワイヤレス送信手段も備えない。言い換えると、ダミーチップは、電子情報記憶媒体を持たず、ワイヤレス通信手段を持たない。ダミーチップは、プラスチップおよび鋼鉄の１つまたは２つの部品で作製されることが好ましい。ダミーチップは、半導体を含まないことが好ましい。ダミーチップは、いかなる電子記憶装置も持たない。
【００１３】
別の実施形態によると、工具は、ダミーチップが第１の凹部にあるときに工具の回転バランスをとるための第２の凹部を含む。そのような回転可能な工具は、ダミーチップおよび／またはＩＤチップが工具本体の密度（すなわち、単位体積当たり質量）よりも低い密度を有する場合でも、向上したバランス特性を有する。
【００１４】
別の実施形態によると、第２の凹部は、工具の第１の凹部と形状的に反対の側に設けられる。そのような回転可能な工具は、向上したバランス特性を有する。そのような工具は、よりコスト効果に優れた方法で製造することができる。なぜなら、２つの凹部が形状的に相互に反対の側に、たとえば回転軸を中心にして相互に１８０度離れて置かれていれば、２つの凹部のみで間に合うからである。第１の凹部および第２の凹部は、回転軸から離れて設置されていることが好ましい。
【００１５】
別の実施形態によると、第２の凹部は、第１の凹部と異なる形状を有する。第２の凹部は、第１の凹部よりも小さい体積を有することが好ましい。そのような凹部により、回転可能な工具から除去する必要がある体積が少なくなる。
【００１６】
別の実施形態によると、ダミーチップは、第１の質量、すなわちＩＤチップの質量と同じ質量を有する。そのような回転可能な工具は、向上したバランス特性を有する。ダミーチップの質量は、ＩＤチップの質量の１１０％未満且つ９０％超である。ダミーチップの質量は、ＩＤチップの質量の１０５％未満且つ９５％超であることが好ましい。ダミーチップおよびＩＤチップのそれぞれの適切な質量は０．４〜１．０ｇであり、より好ましくは０．６〜０．８ｇであり、さらに好ましくは０．７ｇである。
【００１７】
別の実施形態によると、ダミーチップは、第１の形状と実質的に同じ形状を有する。これにより、回転可能な工具の使用により生じる屑または埃が工具の当該部分に付着する可能性を低減することができる。ダミーチップおよび好ましくは止まり穴である第１の凹部の形状は、円筒形であることが好ましい。第１の凹部およびダミーチップは、９．０〜１１．０ｍｍの直径を有することが好ましい。第１の凹部およびダミーチップは、４．０〜６．０ｍｍの深さまたは高さを有することが好ましい。
【００１８】
別の実施形態によると、ダミーチップは、少なくとも１２００Ｎの遠心力に耐えられるように、第１の凹部に固定される。そのような回転可能な工具は、ダミーチップが第１の凹部に保持された状態で、比較的高い単位時間当たり回転数で使用することができる。ダミーチップを第１の凹部に固定するための代替の適切な手段として、ねじ接続、バヨネット接続、圧入、フォームロック、および／または接着剤結合がある。
【００１９】
別の実施形態によると、ダミーチップは、工具本体に設けられた雌ファスナと結合する雄ファスナにより第１の凹部に固定される。ここで、ダミーチップは、雌ねじ部と、雌ねじ部と結合しダミーチップの一部を径方向外側に拡張させる雄ねじ部とを含み、ダミーチップの径方向に拡張可能な部分が弾性を有する。そのような回転可能な工具は、有利な方法で遠心力に抵抗する。ダミーチップの径方向に拡張可能な部分は、第１の凹部がカバーおよび／または封止され、それによって第１の凹部が損傷するリスクまたは破片が凹部に溜まるリスクが低減するという利点をもたらす。
【００２０】
別の実施形態によると、ダミーチップは、該ダミーチップの一部分の周囲に外部リングを備え、該部分が、外部リングをスナップばめにより第１の凹部の内部溝で受け取ることを可能にするだけ十分に圧縮可能である。そのような回転可能な工具は、ねじおよびねじ切り穴を設けずに作製することができる。そのような回転可能な工具は、ダミーチップを第１の凹部から迅速且つ容易な態様で取り外すことができるという利点を有する。
【００２１】
別の実施形態によると、ダミーチップは、締まりばめにより第１の凹部で受け取られる。そのような回転可能な工具は、ねじおよびねじ切り穴を設けずに作製することができる。そのような回転可能な工具は、ダミーチップを第１の凹部から迅速且つ容易な態様取り外すことができるという利点を有する。
【００２２】
別の実施形態によると、ダミーチップは、止まり穴の形式の凹部を備え、当該凹部にカウンターウエイト部材が設置される。そうすることで、所望の質量を有すると共に、ねじを用いずに迅速且つ容易な態様で搭載および取り外すことができるダミーチップを作製することができる。ダミーチップの凹部の止まり穴は、第１の凹部の開口部と反対の方向の開口部を有することが好ましい。
【００２３】
別の実施形態によると、ダミーチップは、凹部を備えるプラスチック製またはゴム製の本体と、金属製のカウンターウエイト部材とからなる。言い換えると、ダミーチップに使用される材料は、プラスチックおよび金属のみである。そのようなダミーチップは、特に使用される金属が鋼鉄等の比較的安価な材料である場合に、安価に製造できるという利点を有する。また、プラスチックと金属の比率を選択することにより、特定の範囲内の質量を有するダミーチップを作製できるという利点も得られる。この場合、金属の密度は、プラスチックの密度よりも大きい必要がある。
【００２４】
別の実施形態によると、工具は、外部テーパ面と、切削インサート用のシートと、外部フランジとを備え、当該フランジが、軸方向でテーパ面とインサートシートとの間に設置され、第１の凹部がフランジに設置されている。そのような回転可能な工具は、工作機械スピンドルに接続されるのに適している。
【００２５】
別の実施形態によると、回転可能な工具は、ＩＤチップをさらに備える工具キットの一部であり、ＩＤチップとダミーチップが同じ質量を有する。そうすることで、バランス特性がさらに向上する。
【００２６】
別の実施形態によると、回転可能な工具を調整または適応させる方法は、本発明に係る回転可能な工具と、第１の質量を有するＩＤチップとを提供するステップと、ダミーチップを第１の凹部から取り外すステップと、ＩＤチップを第１の凹部に固定するステップとを含む。ダミーチップとＩＤチップは、同じ質量を有する。ＩＤチップは、ねじ接続、バヨネット接続、圧入、フォームロック、および／または接着剤結合等の手段により固定される。
【００２７】
ＩＤチップの第１の凹部への固定は、代替で、ＩＤチップを工具本体の回転軸から一定または不変の距離を置いて留めるものとして策定することもできる。
【００２８】
本発明の特徴および利点は、以下の詳細な説明を添付の図面と組み合わせて読むことにより良好に理解される。図面において、同様の符号は類似する要素を示す。
【図面の簡単な説明】
【００２９】
【図１】本発明の側面に係るダミーチップを含む工具の部分断面斜視図である。
【図２】ＩＤチップを含む工具の部分断面斜視図である。
【図３】本発明の別の側面に係るダミーチップを含む工具の部分断面図である。
【図４】本発明の側面に係るダミーチップの部分断面斜視図である。
【図５】本発明の別の側面に係るダミーチップの部分断面斜視図である。
【図６】本発明の別の側面に係るダミーチップを含む工具の部分断面斜視図である。
【図７】本発明の別の側面に係るダミーチップを含む工具の部分断面図である。
【図８】本発明の別の側面に係るダミーチップを含む工具の部分断面図である。
【発明を実施するための形態】
【００３０】
図１の回転可能な工具２１は、回転軸Ａを有する工具本体２５と、ダミーチップ３１を固定することができる第１の外部形状を有する第１の凹部２７とを備える。ダミーチップ３１は、カウンターウエイト部材３７を備える。カウンターウエイト部材３７は、ダミーチップ３１の凹部に設置される。カウンターウエイト部材３７は、鋼鉄で作製される。ダミーチップ３１は、峰部を有する径方向に圧縮可能なプラスチック本体を備え、この峰部により、ダミーチップ３１を第１の凹部２７で受け止めさせて、第１の凹部２７の内部径方向溝に固定することができる。ダミーチップ３１は、データを電子的に記憶することはできない。ダミーチップ３１は、印刷されたテキストまたは記号の形式のデータを持つことができる。工具２１は、ダミーチップ３１が第１の凹部２７にあるときに工具の回転バランスをとるための第２の凹部３３を含む。第２の凹部３３は、工具２１の第１の凹部２７と形状的に反対の側に、軸Ａに沿った同一位置に揃えられるかたちで設けられる。第２の凹部３３は、第１の凹部２７より小さい体積を有する。通常、第２の凹部３３のサイズおよび形状は、第１の凹部のダミーチップ３１およびその後に配置されるＩＤチップ２９により作り出されるアンバランスを可能な限り正確に相殺するように選択される。これを実現するために、第２の凹部３３の直径は、第１の凹部２７の直径と異なる可能性があり、複数の異なる直径を含む可能性があり、また第２の凹部は、第１の凹部よりも深いかまたは浅い可能性がある。第１の凹部２７および第２の凹部３３の直径について言及している一方で、第１の凹部および第２の凹部は円形である必要はないが、現状では、円形の凹部は、通常は凹部を形成するのに最も便利な形状であると考えられる。第１の凹部２７および第２の凹部３３は、軸Ａに対して垂直であり且つ軸Ａから離れる方向の開口部を有する。回転可能な工具２１は、後端にある外部テーパ面と、外部フランジとを備える。外部テーパ面と、フランジの軸Ａに対して垂直であり且つテーパ面に対向する面とは、回転可能な工具２１を工作機械スピンドル（図示せず）に固定するときの接触面である。後端の反対側に、少なくとも１つのインサートシート（図示せず）が設置される前端（図示せず）がある。第１の凹部２７および第２の凹部３３は、フランジに設置される。この第１の凹部２７の位置により、回転可能な工具２１が工作機械スピンドルに固定されている場合でも、容易な方法でダミーチップ３１を取り外してＩＤチップ２９と置き換えることが可能になる。回転可能な工具２１の重心は、ダミーチップ３１が第１の凹部２７に搭載されたときに、軸Ａに位置する。第１の凹部２７の開口部の直径は、９．５〜１０．５ｍｍである。第１の凹部２７の深さは、４〜５ｍｍである。
【００３１】
図２の回転可能な工具２１において、ＩＤチップ２９は、第１の凹部２７に設置されている。他のすべての側面で、回転可能な工具２１は、図１の回転可能な工具と同一である。ＩＤチップ２９は、チップとの視覚的または物理的な接触を伴わずに、工具等に関する情報の読み取りを可能にするＲＦＩＤチップの形式をしている。あるタイプのＲＦＩＤチップは、送信される高周波を電源として使用して、集積回路チップに電力を保存する。そのようなＲＦＩＤチップは、保存された電力を電源として作動する。よって、このタイプのＲＦＩＤチップは、バッテリ等のローカル電源を必要とせずに、効果的に作動することができる。ＩＤチップ２９は、マイクロチップの形式をしたデータキャリアまたは情報キャリアと、アンテナの形式をしたワイヤレス送信手段とを備える。
【００３２】
ＩＤチップ２９を据え付ける前に、工具２１は、図１に示すように第１の凹部２７で受け取ることができるダミーチップ３１を備えている。工具２１は、第１の凹部２７内のダミーチップ３１により、回転バランスをとることができる。これにより、工具の製造業者は、エンドユーザによって第１の凹部２７にオプションで据え付けられ得るＩＤチップ２９の据え付け前に、工具のバランスをとることができ、それによってダミーチップ３１が取り外されてＩＤチップが据え付けられたときに、ツールのバランスがとられる。ダミーチップ３１は、ＩＤチップ２９の物理的特質を模倣するような物理的特質を備えることができ、よってダミーチップを取り外してＩＤチップを据え付けたときに、工具２１のバランスが同一となる。ダミーチップ３１は、ＩＤチップ２９の第１の質量と同じ質量を有することができ、第１の外部形状と同じ形状を有することができ、および／またはＩＤチップ２９と物理的に区別することが実質的に不可能となるようにすることができる。しかし、ダミーチップ３１は、第１の凹部２７に設けられたときに工具２１が第１の凹部にＩＤチップ２９がある場合と実質的に同じようにバランスがとられるように、ＩＤチップ２９と物理的に異なるが同じ質量分布を有することができる。たとえば、ダミーチップ３１は、ＩＤチップ２９よりも小さい質量を有するが、ＩＤチップの質量中心よりも径方向外側に設けられた質量中心を持つことができ、それによってダミーチップは、ＩＤチップが第１の凹部にあるときに有する工具の回転時のバランスへの影響を実質的に模倣することができる。ダミーチップ３１は、ＩＤチップ２９に含まれる可能性があるＲＦＩＤチップ２９の形状および質量を有するディスク等のカウンターウエイト部材２７（図６）を受け取るための凹部３５（図６）を含むことができる。ディスクは、１つの金属または他の適切な材料の単一の部品から作製されることが好ましい。
【００３３】
ダミーチップ３１は、通常、工具２１の回転時にダミーチップが被る遠心力に耐えるための任意の適切な手段により、第１の凹部２７に固定される。典型的には、ダミーチップ３１は、少なくとも１２００Ｎの遠心力に耐えられる手段により、第１の凹部２７に固定される。ダミーチップ３１を第１の凹部２７に固定する手段は、締まりばめを含み得り、すなわちダミーチップは、ダミーチップの取り外しに耐えられる十分な堅さで第１の凹部にはまり込む。
【００３４】
ダミーチップ３１ａを第１の凹部２７に固定する手段は、図３に示すように、ダミーチップの穴４０を貫通して工具本体２５に設けられた雌ファスナ４１と結合する雄ファスナ３９を含み得る。雄／雌ファスナ機構は、図３に示すようなねじ連結の形式、またはダミーチップ３１を第１の凹部２７に迅速且つ簡素な態様で固定および取り外すことを可能にしつつ工具２１の回転時の遠心力に耐えられる（すなわち、ダミーチップ３１が第１の凹部２７に維持される）バヨネット連結もしくは他の任意の適切な手段の形式をとり得る。
【００３５】
図４に示すように、ダミーチップ３１ｂは、ダミーチップの雌ねじ部４３と、雌ねじ部と結合してダミーチップの部分４７を径方向外側に拡張させる雄ねじ部４５とを含む手段により、第１の凹部２７に固定することができる。雄ねじ部４５は、工具２５の雌ねじ部（図示せず）とも、図３に示す雄ファスナ４１の態様で結合し得る。ダミーチップの径方向に拡張可能な部分４７は、雄ねじ部の直径よりも小さい直径の開口部４９を有すると共に雄ねじ部が開口部に入ったときに径方向外側に拡張する、ゴムリングまたはシリンダなどの弾性を有するものであり得る。直径の小さい開口部４９は、雄ねじ部４５のねじ山が当該直径の小さい開口部に入ったときにねじ山が変形可能な材料を押圧するように、ねじ切りされ、および／または変形可能である。
【００３６】
図５に示すように、ダミーチップ３１ｃは、ダミーチップの雌ねじ部４３と、雌ねじ部と結合してダミーチップの区画化された部位４７’を径方向外側に拡張させる雄ねじ部４５とを含む手段により、第１の凹部２７に固定することができる。区画化された部位４７’は、弾性または非弾性であり得るが、ダミーチップ３１ｂと同様に、通常は雄ねじ部の直径よりも小さい直径の開口部４９’を画定し、それによって雄ねじ部が開口部に入ったときに区画化された部位４７’が径方向外側に拡張する。
【００３７】
図６に示すように、ダミーチップ３１ｄは、ダミーチップの一部分５３の周囲に外部リングを備えることができ、該部分が、外部リングをスナップばめにより第１の凹部２７の内部溝５５で受け取ることを可能にするだけ十分に圧縮可能である。ダミーチップ３１ｄの圧縮可能な部分５３は、ゴムなどの弾性材料、または、内側に曲がることにより直径の大きいリング５１が第１の凹部２７の直径の小さい部分を通過してから溝５５に向かって拡張することを可能にする十分な薄さおよび可撓性を有する、金属などのより硬い材料で作製することができる。圧縮可能な部分５３は、リング５１を備える固体円柱の形式であり得、または、突起を備える個別に圧縮可能な区画の形式であり得る。ダミーチップ３１ｄは、モノリシックまたは単一部品の金属製カウンターウエイト部材３７が設置される凹部３５を備える、モノリシックまたは単一部品のプラスチック本体で作製され得る。
【００３８】
図７に示すように、ダミーチップ３１ｅは、接着剤５７により、第１の凹部２７に少なくとも部分的に固定することができる。ダミーチップ３１ｅは、硬化した接着剤を破壊または溶解することにより、取り外すことができる。
【００３９】
図８に示すように、ダミーチップ３１ｆは、第１の凹部２７で部分的に、または図示されているように完全に、プラスチック鋳造等の形式で鋳造することができる。ただし、他の適切な材料を使用することも可能である。
【００４０】
なお、ある形式の固定手段の使用は、他の形式の同時使用を必ずしも除外するわけではない。よって、ダミーチップは、たとえば、径方向に拡張可能であり、ならびに／または溝に向かって拡張するリングや突起などの部分を備え得り、ならびに／またはファスナおよび／もしくは接着剤によって工具に取り付けられ得り、ならびに／または第１の凹部で部分的に鋳造され得る。
【００４１】
上述した回転可能な工具２１の外部テーパ面を備える後端は、Ｃｏｒｏｍａｎｔ  Ｃａｐｔｏ（登録商標）（ＩＳＯ／ＤＩＳ  ２６６２３標準）やＨＳＫなどの既知の工具連結器の形式であり得り、そのような工具連結器は、外部フランジをさらに含む。第１の凹部２７は、回転可能な工具２１が工作機械スピンドルに搭載されている場合でもダミーチップ３１を取り外せるようにする開口部を第１の凹部２７が有するような態様で、軸Ａから距離を離して置かれることが好ましい。第１の凹部２７は、回転可能な工具２１のフランジに設置されることが好ましい。
【００４２】
回転工具用の工具２１を製造する方法では、ダミーチップ３１を第１の凹部２７に固定することにより、工具の回転バランスをとる。その後、ダミーチップ３１を取り外し、工具に対して指定されたＩＤチップ２９を第１の凹部２７に据え付けることができる。
【００４３】
本願では、「含む」等の用語の使用は、非制限的なものであり、「備える」等の用語と同じ意味を持つものとして意図され、他の構造、材料、または行為が存在することを除外しない。同様に、「できる」、「し得る」等の用語の使用は、非制限的であること、および構造、材料、または行為が必須ではないことを反映することが意図されており、そのような用語の不使用は、構造、材料、または行為が必須であることを反映するものではない。構造、材料、または行為が現状で必須と考えられる場合は、そのように特定されている。
【００４４】
本発明について好ましい実施形態に従って図示および説明したが、添付の請求項に示されているように、本発明から逸脱することなく、変形および変更を加えることが可能であることが認識される。
【図１】
0006795506.tif 000002
【図２】
0006795506.tif 000003
【図３】
0006795506.tif 000004
【図４】
0006795506.tif 000005
【図５】
0006795506.tif 000006
【図６】
0006795506.tif 000007
【図７】
0006795506.tif 000008
【図８】
0006795506.tif 000009